【手続補正書】
【提出日】平成16年7月9日(2004.7.9)
【手続補正１】
【補正対象書類名】明細書
【補正対象項目名】特許請求の範囲
【補正方法】変更
【補正の内容】
【特許請求の範囲】
【請求項１】
媒体を正逆方向に搬送する搬送手段と、
この搬送手段により正方向に搬送される媒体の表裏を検出手段により検出し、反転させるか否かを判別する判別手段と、
前記搬送手段上で前記検出手段の後段に設けられ、前記判別手段にて媒体を反転させると判別したのに基づき、前記搬送手段から前記媒体を導入し再度繰り出すことにより前記媒体を反転させる反転手段と、
前記搬送手段上かつ前記反転手段の後段に設けられ、前記媒体に対して情報処理を施す情報処理手段と、
この情報処理手段による処理が正しく行われなかったのに基づき、前記搬送手段を逆方向に搬送した後、再度正方向に搬送して再度前記情報処理手段による前記媒体への情報処理を行わせる制御手段と、
この制御手段により前記搬送手段が駆動され前記媒体が逆方向に搬送れたのに基づき、前記反転手段内に導入されている前記媒体が前記搬送手段上に繰り出されることを防止する防止手段と、
を具備することを特徴とする自動改札装置。
【請求項２】
媒体を正逆方向に搬送する搬送手段と、
この搬送手段により正方向に搬送される媒体の表裏を検出手段により検出し、反転させるか否かを判別する判別手段と、
前記搬送手段上で前記検出手段の後段に設けられ、前記媒体を収納する収納部を備え、前記判別手段にて媒体を反転させると判別したのに基づき、前記媒体を前記収納部の受取り位置にて導入し排出位置にて再度繰り出すことにより前記媒体を反転させる反転手段と、
前記搬送手段上かつ前記反転手段の後段に設けられ、前記媒体に対して情報処理を施す情報処理手段と、
この情報処理手段による処理が正しく行われなかったのに基づき、前記搬送手段を逆方向に搬送した後、かつ再度正方向に搬送して再度前記情報処理手段による前記媒体への情報処理を行わせる制御手段と、
この制御手段により前記搬送手段が駆動され前記媒体が逆方向に搬送れたのに基づき、前記反転手段内を排出位置側に制御し、収納されている前記媒体が前記搬送手段上に繰り出されることを防止する防止手段と、
を具備することを特徴とする自動改札装置。
【請求項３】
媒体を搬送する搬送手段と、
この搬送手段を正逆方向に駆動する駆動手段と、
前記搬送手段によって搬送される媒体の表裏を検出手段により検出し、反転させるべきか否かを判別する判別手段と、
この判別手段により、媒体を反転すべきであると判別されたのに基づき、該媒体を前記搬送手段から導入させて反転させてから前記搬送手段に戻す反転手段と、
前記搬送手段によって搬送される媒体に対し情報処理を施す情報処理手段と、
を具備し、
前記反転手段は、離間対向して配設され、前記駆動手段の正逆方向の駆動により正逆方向に走行する搬入及び搬出用の走行部材と、
これら搬入及び搬出用の走行部材間で移動自在に設けられ、媒体を保留する保留部と、
この保留部に設けられ、該保留部が前記正方向に走行する搬入用走行部材側に移動することにより、前記搬入用走行部材とにより前記媒体を挾持し搬入方向に向かって搬送する第１の押圧部材と、
前記保留部に設けられ、該保留部が前記正方向に走行する搬出用走行部材側に移動することにより前記搬出用走行部材とにより前記媒体を挾持し搬出方向に搬送する第２の押圧部材と、前記駆動手段の逆方向の駆動により前記搬入用及び搬出用の走行部材が逆走行されるのに基づき、前記保留部を前記搬出用走行部材側に移動させることにより前記搬出用走行部材と前記第２の押圧部材とにより前記媒体を挾持し搬入方向に向かって搬送させる制御手段と、
を具備することを特徴とする自動改札装置。
【請求項４】
媒体を搬送する搬送手段と、
この搬送手段を正逆方向に駆動する第１の駆動手段と、
前記搬送手段によって搬送される媒体の表裏を検出手段により検出し、反転させるべきか否かを判別する判別手段と、
この判別手段により、媒体を反転すべきであると判別されたのに基づき、該媒体を前記搬送手段から導入させて反転させてから前記搬送手段に戻す反転手段と、
前記搬送手段によって搬送される媒体に対し情報処理を施す情報処理手段と、
を具備し、
前記反転手段は、離間対向して配設され、前記駆動手段の正逆方向の駆動により正逆方向に走行する搬入及び搬出用の走行部材と、
これら搬入及び搬出用の走行部材間に設けられ、媒体を保留する保留部と、
この保留部を前記搬入及び搬出用の走行部材間で移動させる第２の駆動手段と、
前記保留部に設けられ、該保留部が前記第２の駆動手段により、前記正方向に走行する搬入用走行部材側に移動されることにより、前記搬入用走行部材とにより前記媒体を挾持し搬入方向に向かって搬送する第１の押圧部材と、
前記保留部に設けられ、該保留部が前記第２の駆動手段により、前記正方向に走行する搬出用走行部材側に移動されることにより前記搬出用走行部材とにより前記媒体を挾持し搬出方向に搬送する第２の押圧部材と、
前記駆動手段の逆方向の駆動により前記搬入用及び搬出用の走行部材が逆走行されるのに基づき、前記保留部を前記第２の駆動手段により、前記搬出用走行部材側に移動させることにより前記搬出用走行部材と前記第２の押圧部材とにより前記媒体を挾持し搬入方向に向かって搬送させる制御手段と、
を具備することを特徴とする自動改札装置。
【請求項５】
媒体を搬送する搬送手段と、
この搬送手段を正逆方向に駆動する駆動手段と、
前記搬送手段によって搬送される媒体の表裏を検出手段により検出し、反転させるべきか否かを判別する判別手段と、
この判別手段により、媒体を反転すべきであると判別されたのに基づき、該媒体を前記搬送手段から導入させて反転させてから前記搬送手段に戻す反転手段と、
前記搬送手段によって搬送される媒体に情報を書き込む書込部及びこの書込部によって書き込まれた情報を読み取る読取部を有する情報処理手段と、
を具備し、
前記反転手段は、離間対向して配設され、前記駆動手段の正逆方向の駆動により正逆方向に走行する搬入及び搬出用の走行部材と、
これら搬入及び搬出用の走行部材間で移動自在に設けられ、媒体を保留する保留部と、この保留部に設けられ、該保留部が前記正方向に走行する搬入用走行部材側に移動することにより、前記搬入用走行部材とにより前記媒体を挾持し搬入方向に向かって搬送する第１の押圧部材と、
前記保留部に設けられ、該保留部が前記正方向に走行する搬出用走行部材側に移動することにより前記搬出用走行部材とにより前記媒体を挾持し搬出方向に搬送する第２の押圧部材と、
前記情報処理手段の読取部が情報を読み取ることができないとき、前記駆動手段を逆方向に駆動させて前記搬入用及び搬出用の走行部材を逆走行させるとともに、前記保留部を前記搬出用走行部材側に移動させることにより前記搬出用走行部材と前記第２の押圧部材とにより前記媒体を挾持し搬入方向に向かって搬送させる制御手段と、
を具備することを特徴とする自動改札装置。
【請求項６】
媒体を搬送する搬送手段と、
この搬送手段を正逆方向に駆動する第１の駆動手段と、
前記搬送手段によって搬送される媒体の表裏を検出手段により検出し、反転させるべきか否かを判別する判別手段と、
この判別手段により、媒体を反転すべきであると判別されたのに基づき、該媒体を前記搬送手段から導入させて反転させてから前記搬送手段に戻す反転手段と、
前記搬送手段によって搬送される媒体に情報を書き込む書込部及びこの書込部によって書き込まれた情報を読み取る読取部を有する情報処理手段と、
を具備し、
前記反転手段は、離間対向して配設され、前記駆動手段の正逆方向の駆動により正逆方向に走行する搬入及び搬出用の走行部材と、これら搬入及び搬出用の走行部材間に設けられ、媒体を保留する保留部と、この保留部を前記搬入及び搬出用の走行部材間で移動させる第２の駆動手段と、
前記保留部に設けられ、該保留部が前記第２の駆動手段により、前記正方向に走行する搬入用走行部材側に移動されることにより、前記搬入用走行部材とにより前記媒体を挾持し搬入方向に向かって搬送する第１の押圧部材と、
前記保留部に設けられ、該保留部が前記第２の駆動手段により、前記正方向に走行する搬出用走行部材側に移動されることにより前記搬出用走行部材とにより前記媒体を挾持し搬出方向に搬送する第２の押圧部材と、
前記情報処理手段の読取部が情報を読み取ることができないとき、前記第１の駆動手段を逆方向に駆動させて前記搬入用及び搬出用の走行部材を逆走行させるとともに、前記保留部を前記第２の駆動手段により、前記搬出用走行部材側に移動させることにより前記搬出用走行部材と前記第２の押圧部材とにより前記媒体を挾持し搬入方向に向かって搬送させる制御手段と、
を具備することを特徴とする自動改札装置。
【請求項７】
複数枚の媒体を所定間隔を存して搬送する搬送手段と、
この搬送手段を正逆方向に駆動する駆動モータと、
前記搬送手段によって搬送される媒体の表裏を検出手段により検出し、反転させるべきか否かを判別する判別手段と、
この判別手段により、媒体を反転すべきであると判別されたのに基づき、該媒体を前記搬送手段から導入させて反転させてから前記搬送手段に戻す反転手段と、前記搬送手段によって搬送される媒体に情報を書き込む書込部及びこの書込部によって書き込まれた情報を読み取る読取部を有する情報処理手段と、
を具備し、
前記反転手段は、離間対向して配設され、前記駆動モータの正逆方向の駆動により正逆方向に走行する搬入及び搬出用の搬送ベルトと、
これら搬入及び搬出用の搬送ベルト間に設けられ、媒体を保留する保留部と、
この保留部を前記搬入及び搬出用の走行部材間で移動させる駆動ソレノイドと、
前記保留部に設けられ、該保留部が前記駆動ソレノイドにより、前記正方向に走行する搬入用の搬送ベルト側に移動されることにより、前記搬入用の搬送ベルトとにより前記媒体を挾持し搬入方向に向かって搬送する第１の押圧ローラと、
前記保留部に設けられ、該保留部が前記駆動ソレノイドにより、前記正方向に走行する搬出用の搬送ベルト側に移動されることにより前記搬出用の搬送ベルトとにより前記媒体を挾持し搬出方向に搬送する第２の押圧ローラと、
前記情報処理手段の読取部が情報を読み取ることができないとき、前記駆動モータを逆方向に駆動させて前記搬入用及び搬出用の搬送ベルトを逆走行させるとともに、前記保留部を前記駆動ソレノイドにより、前記搬出用の搬送ベルト側に移動させることにより前記搬出用の搬送ベルトと前記第２の押圧ローラとにより前記媒体を挾持し搬入方向に向かって搬送させる制御手段と、
を具備することを特徴とする自動改札装置。
【手続補正２】
【補正対象書類名】明細書
【補正対象項目名】００１３
【補正方法】変更
【補正の内容】
【００１３】
【課題を解決するための手段】
本発明は上記課題を解決するため、請求項１記載のものは、媒体を正逆方向に搬送する搬送手段と、この搬送手段により正方向に搬送される媒体の表裏を検出手段により検出し、反転させるか否かを判別する判別手段と、前記搬送手段上で前記検出手段の後段に設けられ、前記判別手段にて媒体を反転させると判別したのに基づき、前記搬送手段から前記媒体を導入し再度繰り出すことにより前記媒体を反転させる反転手段と、前記搬送手段上かつ前記反転手段の後段に設けられ、前記媒体に対して情報処理を施す情報処理手段と、この情報処理手段による処理が正しく行われなかったのに基づき、前記搬送手段を逆方向に搬送した後、再度正方向に搬送して再度前記情報処理手段による前記媒体への情報処理を行わせる制御手段と、この制御手段により前記搬送手段が駆動され前記媒体が逆方向に搬送れたのに基づき、前記反転手段内に導入されている前記媒体が前記搬送手段上に繰り出されることを防止する防止手段とを具備する。
【手続補正３】
【補正対象書類名】明細書
【補正対象項目名】００１４
【補正方法】変更
【補正の内容】
【００１４】
請求項２記載のものは、媒体を正逆方向に搬送する搬送手段と、この搬送手段により正方向に搬送される媒体の表裏を検出手段により検出し、反転させるか否かを判別する判別手段と、前記搬送手段上で前記検出手段の後段に設けられ、前記媒体を収納する収納部を備え、前記判別手段にて媒体を反転させると判別したのに基づき、前記媒体を前記収納部の受取り位置にて導入し排出位置にて再度繰り出すことにより前記媒体を反転させる反転手段と、前記搬送手段上かつ前記反転手段の後段に設けられ、前記媒体に対して情報処理を施す情報処理手段と、この情報処理手段による処理が正しく行われなかったのに基づき、前記搬送手段を逆方向に搬送した後、かつ再度正方向に搬送して再度前記情報処理手段による前記媒体への情報処理を行わせる制御手段と、この制御手段により前記搬送手段が駆動され前記媒体が逆方向に搬送れたのに基づき、前記反転手段内を排出位置側に制御し、収納されている前記媒体が前記搬送手段上に繰り出されることを防止する防止手段とを具備する。
【手続補正４】
【補正対象書類名】明細書
【補正対象項目名】００１５
【補正方法】変更
【補正の内容】
【００１５】
請求項３記載のものは、媒体を搬送する搬送手段と、この搬送手段を正逆方向に駆動する駆動手段と、前記搬送手段によって搬送される媒体の表裏を検出手段により検出し、反転させるべきか否かを判別する判別手段と、この判別手段により、媒体を反転すべきであると判別されたのに基づき、該媒体を前記搬送手段から導入させて反転させてから前記搬送手段に戻す反転手段と、前記搬送手段によって搬送される媒体に対し情報処理を施す情報処理手段とを具備し、前記反転手段は、離間対向して配設され、前記駆動手段の正逆方向の駆動により正逆方向に走行する搬入及び搬出用の走行部材と、これら搬入及び搬出用の走行部材間で移動自在に設けられ、媒体を保留する保留部と、この保留部に設けられ、該保留部が前記正方向に走行する搬入用走行部材側に移動することにより、前記搬入用走行部材とにより前記媒体を挾持し搬入方向に向かって搬送する第１の押圧部材と、前記保留部に設けられ、該保留部が前記正方向に走行する搬出用走行部材側に移動することにより前記搬出用走行部材とにより前記媒体を挾持し搬出方向に搬送する第２の押圧部材と、前記駆動手段の逆方向の駆動により前記搬入用及び搬出用の走行部材が逆走行されるのに基づき、前記保留部を前記搬出用走行部材側に移動させることにより前記搬出用走行部材と前記第２の押圧部材とにより前記媒体を挾持し搬入方向に向かって搬送させる制御手段とを具備する。
【手続補正５】
【補正対象書類名】明細書
【補正対象項目名】００１６
【補正方法】変更
【補正の内容】
【００１６】
請求項４記載のものは、媒体を搬送する搬送手段と、この搬送手段を正逆方向に駆動する第１の駆動手段と、前記搬送手段によって搬送される媒体の表裏を検出手段により検出し、反転させるべきか否かを判別する判別手段と、この判別手段により、媒体を反転すべきであると判別されたのに基づき、該媒体を前記搬送手段から導入させて反転させてから前記搬送手段に戻す反転手段と、前記搬送手段によって搬送される媒体に対し情報処理を施す情報処理手段とを具備し、前記反転手段は、離間対向して配設され、前記駆動手段の正逆方向の駆動により正逆方向に走行する搬入及び搬出用の走行部材と、これら搬入及び搬出用の走行部材間に設けられ、媒体を保留する保留部と、この保留部を前記搬入及び搬出用の走行部材間で移動させる第２の駆動手段と、前記保留部に設けられ、該保留部が前記第２の駆動手段により、前記正方向に走行する搬入用走行部材側に移動されることにより、前記搬入用走行部材とにより前記媒体を挾持し搬入方向に向かって搬送する第１の押圧部材と、前記保留部に設けられ、該保留部が前記第２の駆動手段により、前記正方向に走行する搬出用走行部材側に移動されることにより前記搬出用走行部材とにより前記媒体を挾持し搬出方向に搬送する第２の押圧部材と、前記駆動手段の逆方向の駆動により前記搬入用及び搬出用の走行部材が逆走行されるのに基づき、前記保留部を前記第２の駆動手段により、前記搬出用走行部材側に移動させることにより前記搬出用走行部材と前記第２の押圧部材とにより前記媒体を挾持し搬入方向に向かって搬送させる制御手段とを具備する。
【手続補正６】
【補正対象書類名】明細書
【補正対象項目名】００１７
【補正方法】変更
【補正の内容】
【００１７】
請求項５記載のものは、媒体を搬送する搬送手段と、この搬送手段を正逆方向に駆動する駆動手段と、前記搬送手段によって搬送される媒体の表裏を検出手段により検出し、反転させるべきか否かを判別する判別手段と、この判別手段により、媒体を反転すべきであると判別されたのに基づき、該媒体を前記搬送手段から導入させて反転させてから前記搬送手段に戻す反転手段と、前記搬送手段によって搬送される媒体に情報を書き込む書込部及びこの書込部によって書き込まれた情報を読み取る読取部を有する情報処理手段とを具備し、前記反転手段は、離間対向して配設され、前記駆動手段の正逆方向の駆動により正逆方向に走行する搬入及び搬出用の走行部材と、これら搬入及び搬出用の走行部材間で移動自在に設けられ、媒体を保留する保留部と、この保留部に設けられ、該保留部が前記正方向に走行する搬入用走行部材側に移動することにより、前記搬入用走行部材とにより前記媒体を挾持し搬入方向に向かって搬送する第１の押圧部材と、前記保留部に設けられ、該保留部が前記正方向に走行する搬出用走行部材側に移動することにより前記搬出用走行部材とにより前記媒体を挾持し搬出方向に搬送する第２の押圧部材と、前記情報処理手段の読取部が情報を読み取ることができないとき、前記駆動手段を逆方向に駆動させて前記搬入用及び搬出用の走行部材を逆走行させるとともに、前記保留部を前記搬出用走行部材側に移動させることにより前記搬出用走行部材と前記第２の押圧部材とにより前記媒体を挾持し搬入方向に向かって搬送させる制御手段とを具備する。
【手続補正７】
【補正対象書類名】明細書
【補正対象項目名】００１８
【補正方法】変更
【補正の内容】
【００１８】
請求項６記載のものは、媒体を搬送する搬送手段と、この搬送手段を正逆方向に駆動する第１の駆動手段と、前記搬送手段によって搬送される媒体の表裏を検出手段により検出し、反転させるべきか否かを判別する判別手段と、この判別手段により、媒体を反転すべきであると判別されたのに基づき、該媒体を前記搬送手段から導入させて反転させてから前記搬送手段に戻す反転手段と、前記搬送手段によって搬送される媒体に情報を書き込む書込部及びこの書込部によって書き込まれた情報を読み取る読取部を有する情報処理手段とを具備し、前記反転手段は、離間対向して配設され、前記駆動手段の正逆方向の駆動により正逆方向に走行する搬入及び搬出用の走行部材と、これら搬入及び搬出用の走行部材間に設けられ、媒体を保留する保留部と、この保留部を前記搬入及び搬出用の走行部材間で移動させる第２の駆動手段と、前記保留部に設けられ、該保留部が前記第２の駆動手段により、前記正方向に走行する搬入用走行部材側に移動されることにより、前記搬入用走行部材とにより前記媒体を挾持し搬入方向に向かって搬送する第１の押圧部材と、前記保留部に設けられ、該保留部が前記第２の駆動手段により、前記正方向に走行する搬出用走行部材側に移動されることにより前記搬出用走行部材とにより前記媒体を挾持し搬出方向に搬送する第２の押圧部材と、前記情報処理手段の読取部が情報を読み取ることができないとき、前記第１の駆動手段を逆方向に駆動させて前記搬入用及び搬出用の走行部材を逆走行させるとともに、前記保留部を前記第２の駆動手段により、前記搬出用走行部材側に移動させることにより前記搬出用走行部材と前記第２の押圧部材とにより前記媒体を挾持し搬入方向に向かって搬送させる制御手段とを具備する。
【手続補正８】
【補正対象書類名】明細書
【補正対象項目名】００１９
【補正方法】変更
【補正の内容】
【００１９】
請求項７記載のものは、複数枚の媒体を所定間隔を存して搬送する搬送手段と、この搬送手段を正逆方向に駆動する駆動モータと、前記搬送手段によって搬送される媒体の表裏を検出手段により検出し、反転させるべきか否かを判別する判別手段と、この判別手段により、媒体を反転すべきであると判別されたのに基づき、該媒体を前記搬送手段から導入させて反転させてから前記搬送手段に戻す反転手段と、前記搬送手段によって搬送される媒体に情報を書き込む書込部及びこの書込部によって書き込まれた情報を読み取る読取部を有する情報処理手段とを具備し、前記反転手段は、離間対向して配設され、前記駆動モータの正逆方向の駆動により正逆方向に走行する搬入及び搬出用の搬送ベルトと、これら搬入及び搬出用の搬送ベルト間に設けられ、媒体を保留する保留部と、この保留部を前記搬入及び搬出用の走行部材間で移動させる駆動ソレノイドと、前記保留部に設けられ、該保留部が前記駆動ソレノイドにより、前記正方向に走行する搬入用の搬送ベルト側に移動されることにより、前記搬入用の搬送ベルトとにより前記媒体を挾持し搬入方向に向かって搬送する第１の押圧ローラと、前記保留部に設けられ、該保留部が前記駆動ソレノイドにより、前記正方向に走行する搬出用の搬送ベルト側に移動されることにより前記搬出用の搬送ベルトとにより前記媒体を挾持し搬出方向に搬送する第２の押圧ローラと、前記情報処理手段の読取部が情報を読み取ることができないとき、前記駆動モータを逆方向に駆動させて前記搬入用及び搬出用の搬送ベルトを逆走行させるとともに、前記保留部を前記駆動ソレノイドにより、前記搬出用の搬送ベルト側に移動させることにより前記搬出用の搬送ベルトと前記第２の押圧ローラとにより前記媒体を挾持し搬入方向に向かって搬送させる制御手段とを具備する。